(57)【特許請求の範囲】
【請求項１】
尿の受け皿（１０）と、その受け皿（１０）から上方に伸びる柄（２０）とを有し、前記受け皿（１０）はその下部に尿を溜めるポケット（１２）を有し、そのポケット（１２）はその上面を塞ぐポケット蓋（１３）が設けられて、そのポケット蓋（１３）は、その上面が前記受け皿（１０）の受け面に至ってその受け皿（１０）に排出された尿がその受け皿（１０）を伝って至る透孔（１５）が形成されていることを特徴とする犬の糞尿処理具。
【請求項２】
上記ポケット（１２）の前壁上縁全長に亘り上記ポケット蓋（１３）に連続して前方に延びる鍔（１９）を設けたことを特徴とする請求項１に記載の犬の糞尿処理具。
【請求項３】
上記ポケット蓋（１３）の隅、上記ポケット（１２）の側壁又は底壁に栓（１７、１７’）付の尿排出孔（１６）を設けたことを特徴とする請求項１又は２に記載の犬の糞尿処理具。
【発明の詳細な説明】
【技術分野】
【０００１】
この発明は、ペットである犬の散歩時における糞尿を処理する糞尿処理具に関するものである。
【背景技術】
【０００２】
今日、人間社会の多様化、複雑化等から、犬や猫等と暮らす人が増えている。その際、愛犬が市民の一員として社会から認められるためには、犬と飼い主はさまざまなルールを守らなければならない。そのルールの一つとして、犬の散歩時の糞尿の処理である。糞尿は他人から嫌がられ、環境を劣化させる。
【０００３】
このような状況下、従来から、種々の犬の糞尿処理具が提案されている。
その一つとして、尿の受け皿にその上縁から伸びる柄を設けた糞尿処理具がある。この糞尿処理具は、犬が糞又は尿をする際、その受け皿を糞又は尿の排泄位置に導いて受け取る（特許文献１、図７参照）。このとき、受け皿には吸水シートを設けることもできる（同文献２、図６参照）。
また、上記受け皿の下部に糞を溜める上面開口のポケットを設けたものもある（特許文献２図１、図４参照）。この糞尿処理具は、糞のみならず、ポケット内に尿を溜めて自宅内の便器等に排出することもできる。
さらに、受け皿に起伏可能なカバーを設け、その受け皿とカバーの内面にそれぞれ尿吸収体を設け、排尿後、カバーを受け皿に被せるものもある（特許文献３、図１）。この糞尿処理具は、受け皿とカバーの両内面の尿吸収体で排尿を受け取るため、その捕捉範囲が広くその捕捉が確実としている。
【先行技術文献】
【特許文献】
【０００４】
【特許文献１】特開２０１２−２３５７６３号公報
【特許文献２】特開平１１−３１８２５６号公報
【特許文献３】特開２００７−１６６９３３号公報
【特許文献４】特開２００４−１５４３４４号公報
【特許文献５】実開平７−３４８号公報
【特許文献６】登録実用新案第３０５０９６８号公報
【発明の概要】
【発明が解決しようとする課題】
【０００５】
犬は、散歩に出かけると、電柱や木、ブロック塀、大きな石等の、散歩コースのポイント、ポイントに少しずつ排尿して歩く、マーキングを行う。このとき、一回のマーキングによる排尿量は少ないが、多くのマーキングをすると、その総排尿量はかなりのものとなる。
このため、特許文献１記載の糞尿処理具は、受け皿の尿収容量が少ないため、大量の排尿がなされると、溢れ出る恐れがある。
特許文献２記載の糞尿処理具は、ポケット内に溜尿することができるが、歩行時、ポケットの開口からその溜尿が飛び出す恐れがある。
特許文献３記載の糞尿処理具は、尿吸収体の溜尿量を超えると、その溜尿が漏れ出て周りを汚す恐れがある。
また、何れの糞尿処理具においても、吸水シート（尿吸収体）で溜尿した場合、その廃棄処理が煩わしい。
【０００６】
この発明は、以上の実状の下、尿の排泄位置に円滑に導き易く、かつ、大量の排尿であっても漏れ出すことなく貯留できるとともに、その貯留した尿が飛散しない糞尿処理具を提供することを課題とする。
【課題を解決するための手段】
【０００７】
上記課題を達成するため、この発明は、尿の受け皿の下部に尿を溜める有蓋のポケットを有するものとしたのである。
受け皿を薄くすれば（扁平にすれば）、その受け皿を排泄位置に導きやすく（図３（ａ），同（ｂ）参照）、ポケット蓋に透孔があれば、その透孔から下部のポケットに尿は垂れ落ち、そのポケットで貯留されるため、一回の散歩におけるマーキング時の排尿量を十分に貯留できる。一方、ポケットは受け皿面から突出するが、そのポケットは、尿又は糞の排泄時には、犬の腹部に臨むため、排泄の邪魔にならない（図３（ａ）、同（ｂ）参照）。さらに、ポケットは蓋を有するため、歩行に伴うポケット内の溜尿の飛散はない。このため、尿吸収材を受け皿に設ける必要はない。
【０００８】
この発明の構成としては、尿の受け皿と、その受け皿から上方に伸びる柄とからなり、前記受け皿はその下部に尿を溜めるポケットを有し、そのポケットはその上面を塞ぐポケット蓋が設けられて、そのポケット蓋は、その上面が受け皿の受け面に至ってその受け皿に排出された尿がその受け皿を伝って至る透孔が形成されている構成を採用することができる。
受け皿への排尿は、受け皿を動かすことによって透孔に導くことができるが、ポケット蓋の上面を透孔に向かって下り傾斜させれば、その排尿が透孔に至り易くなる。
また、透孔の位置は何れでも良いが、蓋の中央が好ましい。
【０００９】
この糞尿処理具は、犬の散歩時、付き人（飼い主）はその柄を持って移動するため、通常、ポケットが最下位に位置する。このため、犬が排泄しようとした際、その排泄位置に受け皿を導いてその受け皿の受け面に排尿又は排糞させる。このとき、ポケットの背内面が受け皿の受け面と連続しているため、その排尿は受け面からポケット蓋を伝い、透孔からポケット内に円滑に至る。この作用を、マーキング時の排尿毎に行って、電柱や壁に排尿がされないようにする。糞は袋に入れて持ち帰る。
【００１０】
この構成において、上記ポケットの前壁上縁全長に亘り上記ポケット蓋に連続して前方に延びる鍔を設ければ、この鍔によっても排泄された尿や糞を受け取ることができる。
また、ポケット内の溜尿は、上記透孔から排出しても良いが、ポケットの側壁、底壁又はポケット蓋の隅に栓付の尿排出孔を形成することができる。ポケットの側壁、底壁又はポケット蓋の隅の尿排出孔は、受け皿を傾ける等によってポケット内の溜尿が容易に流れ出るため、ポケット内の排尿を円滑に行うことができる。通常は、その尿排出孔に栓をしておくことにより、溜尿が漏れ出る恐れはない。
【発明の効果】
【００１１】
この発明は、以上のように構成し、受け皿を薄くし得るようにしたので、犬の排尿を確実に捕捉でき、さらに、ポケットによって溜尿するようにしたので、一回の散歩におけるマーキング時の排尿量を十分に貯留することができる。このため、糞尿による社会環境の悪化改善に貢献し得るものである。
また、ポケットを蓋付としたので、歩行時、ポケットから溜尿が飛散することもない。
【図面の簡単な説明】
【００１２】
【図１】この発明に係る犬の糞尿処理具の一実施形態の斜視図
【図２】同実施形態の要部を示し、（ａ）は切断正面図、（ｂ）は切断側面図
【図３】同実施形態の使用説明図
【図４】同実施形態の使用説明図
【図５】（ａ）〜（ｃ）は他の各実施形態の要部斜視図
【図６】図５（ａ）の実施形態の使用説明図
【発明を実施するための形態】
【００１３】
この発明に係る犬の糞尿処理具の一実施形態を図１、図２に示し、この実施形態の犬の糞尿処理具Ｐ１は、尿の受け皿１０と、その受け皿１０から上方に伸びる柄２０とからなる。
受け皿１０は、四角状平板１１の下部にポケット（尿溜まり）１２を有する。ポケット１２は、平板１１の下縁を前方に折り曲げ、その後、上方に延ばし、さらに、その上縁を後方に延ばして平板１１に接続した有蓋１３の形状であり、ポケット１２の背内面は受け皿の受け面（平板１１の表面）と連続している（面一となっている）。そのポケット１２の前方への突出長さｓ、上方への延長長さｈは、一回の散歩でのマーキングで排尿される量に応じて適宜に設定すれば良いが、小、中型犬であれば、例えば、幅Ｌ:１５０〜１８０ｍｍ、奥行き（突出長さ）ｓ:１０〜２５ｍｍ、高さ（延長長さ）ｈ：２５〜４０ｍｍ程度とする。
平板１１の周囲には側壁１４が設けられて、この側壁１４により平板１１上に排泄された尿の飛散を防止する。このため、側壁１４の高さは、その飛散を防止しつつ犬の排泄に邪魔にならない程度を考慮して適宜に設定する。
【００１４】
平板１１とポケット１２（受け皿１０）は、金属製、木製、樹脂製等とし得るが、樹脂成型品とすることが好ましい。このとき、ポケット１２の下面コーナー部１２ａを円弧状とすると、ゴミが着きにくく洗い易い。また、そのコーナー部１２ａの内面（ポケット１２の内面）も円弧状とすると、溜尿が留まり難い。
【００１５】
ポケット１２の蓋１３の中央に透孔１５が形成され、その透孔１５に向かって蓋１３の上面は下り傾斜している。このため、平板１１から垂れ落ちる排尿はポケット蓋１３に至ってその上面を伝って透孔１５からポケット１２内に流入する。透孔１５の数は一つに限らず、複数設けてもよく、また、その位置は、中央に限らず、端などの任意の位置が考えられる。いずれにしても、蓋１３上面はその各透孔１５に向かって下り傾斜とする。
この実施形態では、ポケット蓋１３の隅には尿排出孔１６が設けられており、この尿排出孔１６には棒状の栓１７が抜き差し可能となっている。
透孔１５、尿排出孔１６は、少なくとも１つあれば有効であり、尿排出孔１６は隅に一つのみが好ましい。透孔１５のみを蓋１３の隅に形成することができる（尿排出孔１６で透孔１５を代用しても良い）。
【００１６】
柄２０は、２本の杆２１ａ、２１ｂとからなり、下方の杆２１ａが平板１１の裏面にリベット止め２２によって固定されている（図２参照）。このとき、柄２０はその長さ方向を受け皿１０の尿受面に対して平行等と任意であるが、図１のように、少し前屈みとすると、糞尿の排泄時、図３で示すように、その排泄位置に受け皿１０を導きやすい。
上記両杆２１ａ、２１ｂは、一方の杆２１ａが他方の杆２１ｂに出没自在となっており、特許文献４〜６等で示される周知の接続・固定機構２３でもって、その調節自在である。その柄２０の最大長、最小長は、使用者に応じて適宜に設定する。柄２０（杆２１ｂ）の上端には、適宜形状の握り部２４を設けている。
【００１７】
この実施形態の犬の糞尿処理具Ｐ１は以上のように簡単軽量の構成であり、犬の散歩時に携帯する。その散歩時、図３（ａ）に示すように、犬がマーキングのために、排尿しようとした際、その位置に速やかに受け皿１０を導いてその排尿を受け皿１０で受ける。
このとき、付き人（飼い主）は、立ったままで（座ることなく）その尿ａの受け取り動作を行うことができるため、素早く対応できる。また、尿を受ける面は、受け皿１０の表面であり、その裏面には排尿が至らないため、受け皿１０の裏面を電柱やブロック塀等に接触させてもそれらを尿で汚すことはない。このため、円滑かつ安心して排尿処理を行うことができる。
【００１８】
受け皿１０で受けた排尿は、平板１１から垂れ落ちてポケット蓋１３に至ってその上面を伝ってポケット１２内に流入する。このため、この糞尿処理具Ｐ１を持った歩行に伴うポケット１２内の溜尿の飛散はない。このとき、この犬の糞尿処理具Ｐ１は、通常、柄２０を斜め右肩上がりに持って歩行するため、蓋１３は右肩下がりとなってその上面の排尿は平板１１側に流れて透孔１５からポケット１２内に入り、蓋１３の前縁から飛び散ることも少ない。また、透孔１５は、排尿が入り込む大きさがあれば十分のため、ポケット１２内で流動する排尿が飛び出ることも殆どない。
【００１９】
糞の場合も同様に、付き人は立ったままで糞ｂの受け取り動作を行うことができ（図３（ｂ）参照）、受け皿１０で受けた後、その受け皿１０に載せた状態で移動すれば、道路等を汚すことはない。好ましくは、同図（ｃ）に示すように、手にビニール袋ｃを被せてその糞ｂを掴み、袋ｃを反転させて処理する。
【００２０】
以上の作用によって、犬の糞尿を道路等に残さず、快適な環境を維持できる。
散歩が終われば、図４に示すように、栓１７を抜いた後、自宅等の便器Ａ内に、尿排出孔１６を下方にしてポケット１２内の溜尿を流し出して処置する。このとき、ポケット１２内も含めて受け皿１０全体の尿を水洗いすることもできる。
【００２１】
図５に他の各実施形態の犬の糞尿処理具Ｐ２、Ｐ３、Ｐ４を示し、糞尿処理具Ｐ２、Ｐ３は、上記尿排出孔１６の部分にポケット１２内に連通する有蓋の筒１８を設け、その筒１８の上部に尿排出孔１６を形成している。この糞尿処理具Ｐ２、Ｐ３は、糞尿処理具Ｐ１のように、蓋１３の隅の尿排出孔１６から溜尿が排出する恐れはなく、図６に示すように、その筒１８の尿排出孔１６が下方になるようにして排尿する。筒１８の尿排出孔１６にも必要に応じて栓１７’を抜き差し可能に設けることができる。
尿排出孔１６は、蓋１３に限らず、図５（ｃ）に示すように、ポケット１２の側壁１４や底壁等と任意の位置が考えられ、その尿排出孔１６には栓１７’を抜き差し可能に設ける。
また、平板１１の形状も、図１、図５（ａ）、同（ｃ）に示す四角状に限らず、糞尿を受け得る形状であれば任意であり、例えば、図５（ｂ）に示す上縁が円弧状の物などとし得る。
【００２２】
さらに、図５（ａ）〜（ｃ）に示すように、ポケット１２の前壁上縁全長に亘り蓋１３に連続する前方に延びる鍔１９を設けることができる。鍔１９の突出長さは、糞尿を受ける際、犬の排泄に邪魔にならない程度を考慮して適宜に設定すれば良いが、例えば３０ｍｍ程度とする。
この鍔１９を有する糞尿処理具Ｐ２〜Ｐ４も、上記と同様にして、排尿、排糞を受けるが、鍔１９によって、飛散する尿を受け止めるともに糞を受け取ることができる。このため、犬が多少動いても排泄の尿ａや糞ｂを確実に受け取ることができ、また、勢いの無い尿ａであっても、その鍔１９で受け得るため、道路等を汚すことも少なくなる。
なお、鍔１９の傾斜角度θは（図５（ｃ）参照）、この犬の糞尿処理具Ｐ２〜Ｐ４を斜めにして尿等を受ける際、鍔１９が水平より少し上向きとなって受け取った尿ａが垂れ落ちないように適宜に設定する。この実施形態では、鍔１９はポケット１２の前壁に対し垂直より少し上向きとしている（図５（ｃ）参照）。
【００２３】
なお、蓋１３をポケット１２から取り外し可能とし、その蓋１３を外して排尿するようにすることもできる。また、必要に応じて、平板１１上（受け皿１０内）に尿吸収材を設けることもできる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２４】
Ｐ１、Ｐ２、Ｐ３、Ｐ４  犬の糞尿処理具
１０  受け皿
１１  受け皿の平板
１２  受け皿のポケット
１３  ポケットの蓋
１４  側壁
１５  透孔（尿流入孔）
１６  尿排出孔
１７、１７’  栓
１８  筒
１９  鍔
２０  柄
２１ａ，２１ｂ  柄の杆
２４  柄の握り部
【要約】
【課題】尿の排泄位置に円滑に導き易く、かつ、大量の排尿であっても漏れ出すことなく貯留できる。
【解決手段】尿の受け皿１０と、その受け皿から上方に伸びる柄２０とを有する糞尿処理具Ｐ１である。受け皿は、有蓋のポケット１２を有し、そのポケットの背内面は受け皿の受け面と連続し、かつポケット蓋１３に透孔１５が形成されて、その透孔に向かって蓋の上面は下り傾斜している。犬の散歩時に携帯し、犬がマーキングのために、排尿しようとした際、その位置に速やかに受け皿を導いてその排尿を受け皿で受ける。その受け止められた排尿は下方に伝って透孔からポケット内に溜められる。この糞尿処理具を持ち歩いても、ポケットは蓋を有するため、尿が飛散することはない。糞の場合は、受け皿で受けた後、手にビニール袋を被せてその糞を掴み、袋を反転させて処理する。ポケット内の排尿は、排出孔１６から行う。
【選択図】図１【図１】
0005801511.tif 000002
【図２】
0005801511.tif 000003
【図３】
0005801511.tif 000004
【図４】
0005801511.tif 000005
【図５】
0005801511.tif 000006
【図６】
0005801511.tif 000007